(57)【要約】【課題】導光板の一側端面に線状光源が配設された液晶表示装置の小型・薄型化を図る。【解決手段】一側端から他側端へ向け板厚が薄くなるように傾斜した裏面を有するほぼ矩形状をした導光板５と、この導光板５の一側端の板厚面に沿って配設された線状光源４１と、この線状光源４１の両端にそれぞれ接続されたリード線４４ｃとを備える。そして、前記導光板５は、その板厚が薄くなるに従って導光板５の裏面とハウジング底壁間の隙間が拡大するように設置し、前記リード線４４ｃは、その一部が隙間内にあって前記導光板５の他側端に沿って配線し、ハウジング７の裏面側へ導出する。【選択図】  図２
2004302048.tif 000002
【特許請求の範囲】
【請求項１】
一側端から他側端へ向け板厚が薄くなるように傾斜した裏面を有するほぼ矩形状をした導光板と、該導光板の一側端の板厚面に沿って配設された線状光源と、該線状光源の両端にそれぞれ接続されたリード線とを備え、前記導光板は、その板厚が薄くなるに従って該導光板の裏面とハウジング底壁間の隙間が拡大するように設置され、前記リード線は、その一部が該隙間内にあって前記導光板の他側端に沿って配線され、該ハウジングの裏面側から外へ導出されることを特徴とする液晶表示装置。
【請求項２】
前記リード線は、その一部が前記ハウジングの底壁に形成された溝内に収納され、該溝を通って前記ハウジングの外へ導出されることを特徴とする請求項１記載の液晶表示装置。
【請求項３】
前記導光板には、その裏面に反射板が配設され、該反射板は、その一端がほぼコ字状に屈曲された屈曲部を有し、前記屈曲部内に前記線状光源及び前記導光板の板厚端縁が挿入されていることを特徴とする請求項１又は２記載の液晶表示装置。
【発明の詳細な説明】
【０００１】
【発明の属する技術分野】
本発明は、液晶表示装置に係り、より詳しくは、照明ユニットの配線構造を改良して小型化を図った液晶表示装置に関する。
【０００２】
【従来の技術】
液晶表示装置に使用されるバックライトは、光源に冷陰極又は熱陰極管等の細径蛍光管が使用され、一般にエッジ型と直下型に大別されている。
【０００３】
エッジ型バックライトは、導光板の側面に細径蛍光管からなる線状光源が配設され、この光源からの光が液晶パネルの表面に誘導される構造を有し、また直下型バックライトは、ランプ室に配設された線状光源からの光が拡散板を経て液晶パネルへ拡散照射される構造を有している。
このうち、エッジ型バックライトは、導光板の側面に線状光源を配設できるので、直下型バックライトに比べて、線状光源の設置スペースが節約でき小型、薄型化が容易になる。この利点を生かして、このタイプのバックライトは、小型、薄型化が必要な液晶表示装置に多く搭載されている。
【０００４】
しかし、近年、液晶表示装置は、さらに小型、薄型・軽量化が進展しており、これに追随して、バックライトもより一層の小型、薄型化等が要求されている。この小型、薄型化等は、通常、バックライトを構成する個々の部品、例えば光源、導光板、ハウジング等を小型、薄型・軽量化することにより達成されるが、一方でハウジング内での配線を工夫することによっても実現できることが知られている。（例えば、特許文献１、２）。
【０００５】
図５は、上記特許文献１に記載されている照明ユニットを示し、同図（Ａ）は断面図、（Ｂ）は平面図である。
【０００６】
この照明ユニットＵＴは、光源１０２と、この光源１０２からの光を導光させる導光板１０１と、導光板１０１の下方及び側面方向に配置された金属製のハウジング１０４とを備え、光源１０２に接続されるリード線１０３を導光板１０１の側面とハウジング１０４との間にはさみ込むと共に、このリード線１０３を複数個の突起Ｋで押さえてハウジングから離脱しないように構成されている。
【０００７】
【特許文献１】
特開２００１−２４９６２１号（第３頁  図１、図２）
【特許文献２】
特開２００２−１５０８２３号（第５〜６頁  図１、２、４）
【０００８】
【発明が解決しようとする課題】
しかし、この照明ユニットでは、リード線は導光板の側面とハウジングとの間に隙間を設け、この隙間に収納されるようになっているので、この収納スペース分だけハウジングを大きくしなければならならず、その結果、表示装置も大きくなっている。
【０００９】
また、図６は、上記特許文献２に記載されているバックライト装置を示し、同図（Ａ）は側面図、同図（Ｂ）は平面図である。
このバックライト装置１１０は、側端面が入射面とされた導光板１１１と、入光面である側端面に沿って横方向に設けられた線状光源１１２と、当該線状光源１１２の長手方向一側に接続されたリード線１１３とを備え、前記リード線１１３は、線状光源１１２の長手方向他端側に延設されている。そして、導光板１１１は、入光面から離れるに従って板厚が薄くなるように傾斜した裏面を有すると共に、板厚が薄くなるに従って導光板裏面の下方空間が大きくなるように配置されている。また、前記リード線１１３は、入光面から間隔Ｔを開けた状態で前記導光板１１０の裏面側を通って、前記線状光源１１２の長手方向他端側へ延設されると共に、導光板が薄くなるに従って大きくなる導光板下方空間内に位置させて、当該リード線１１３の一部が入光面である導光板側端面の下縁より上方に配設させている。
【００１０】
しかし、この配線構造でも、入射面から間隔Ｔを開けて、下方フレームの下側にリード線が配線されるので、表示装置の厚さが厚くなってしまう。また、その厚さを薄くしようとすれば、リード線のサイズが限定されてしまう課題を有している。
【００１１】
本発明は、上記従来技術が抱える課題を解決するものであって、その発明の目的は、小型・薄型化を図った液晶表示装置を提供することにある。
【００１２】
【課題を解決するための手段】
上記目的は、以下の構成によって達成される。本発明の液晶表示装置は、一側端から他側端へ向け板厚が薄くなるように傾斜した裏面を有するほぼ矩形状をした導光板と、該導光板の一側端の板厚面に沿って配設された線状光源と、該線状光源の両端にそれぞれ接続されたリード線とを備え、前記導光板は、その板厚が薄くなるに従って該導光板の裏面とハウジング底壁間の隙間が拡大するように設置され、前記リード線は、その一部が該隙間内にあって前記導光板の他側端に沿って配線され、該ハウジングの裏面側から外へ導出さることを特徴とする。
【００１３】
そして、前記リード線は、その一部が前記ハウジングの底壁に形成された溝内に収納され、該溝を通って前記ハウジングの外へ導出されるようになっており、また、前記導光板には、その裏面に反射板が配設され、この反射板は、その一端がほぼコ字状に屈曲された屈曲部を有し、屈曲部内に前記線状光源及び前記導光板の板厚端縁が挿入されていることが好ましい。
【００１４】
この液晶表示装置では、導光板の裏面とハウジング底壁間の形成される隙間内にあって、前記導光板の他側端に沿って前記リード線が配線される。したがって、導光板の裏面とハウジング底壁間の形成される隙間を有効利用することができると共に、前記リード線が導光板の一側縁の下方に配設され、導光板等の外周へ飛び出ていないので、ハウジングを小型にできる。
【００１５】
また、リード線をハウジングの底壁に形成された溝内に収納することにより、リード線の移動を防止できる。更に、反射板の一端をほぼコ字状に屈曲し、この屈曲部内に線状光源及び導光板の板厚端縁を挿入することにより、組立てが容易になる。
【００１６】
【発明の実施形態】
以下、図１〜４を参照して、本発明の一実施の形態を説明する。図１は本発明の一実施形態の液晶表示装置を示す正面図、図２は図１のＡ−Ａ断面図、図３は図１の分解斜視図、図４は図３の一部の部品を抽出し拡大した拡大斜視図である。
【００１７】
この液晶表示装置１は、液晶表示パネル２と、ランプセット４と、ランプセットの光源４１からの光を伝達する導光板５と、導光板５の表面の発光面に配置される光学部材３と、導光板５の裏面に配置される反射板６と、反射板６等の組立体が収納されるハウジング７と、このハウジングの外周囲を囲み光学部材及び液晶表示パネル等を固定する外枠フレーム９等から構成されている。
【００１８】
以下、この表示装置を構成する主要部品を図面を参照して説明する。導光板５は、液晶表示パネル２とほぼ同じ横幅及び縦幅を有する矩形状の板体からなり、アクリル樹脂材等で形成される。その板厚は、その長手方向と直交する方向において、図２の断面図に示すように、表面５１が平坦で裏面５２が一側端５３から他側端５４に向かって、徐々に薄く傾斜するように形成され、その断面形状がほぼ楔形状をなしている。一側端５３の板厚は、前記線状光源４１の直径とほぼ同じ厚さに形成される。そして、この導光板５は、一側端５３が入光面、表面５１が発光面となる。
【００１９】
光学シート３は、１枚の光拡散板３ｃと、この光拡散板３ｃの上に積層される複数枚のレンズシート３ａ、３ｂとの積層体からなる。なお、光拡散板３ｃやレンズシート３ａ、３ｂは、非導電性材料で形成される。
【００２０】
反射板６は、導光板５の入光面５３から入った光を反射させて発光面５１から出光させるもので、その表面に反射材が塗布等されている。その形状は、平坦面６１がほぼ導光板５と同じ大きさを有し、長手方向の一側端がコ字状に屈曲されて屈曲部６２を形成し、その屈曲部６２の内側に隙間が形成され、この屈曲部６２に前記線状光源４１が収納されるようになっている。
【００２１】
また、他側端６４は、平坦面６１からほぼ９０°に折曲され、導光板５の一側端５４を係止する係止片６５が形成されている。
【００２２】
ランプセット４は、線状光源４１と、この線状光源に接続されたリード線４３、４４（以下、第１、第２のリード線４３、４４という）とからなる。線状光源４１には、冷陰極又は熱陰極管等の細径蛍光ランプが使用され、高周波の交流電源で点灯される。蛍光ランプは、直線状のものが好ましいが、これに限定されずＬ字、Ｕ字状のものも使用可能である。また、蛍光ランプ４１の両端には、第１、第２のリード線４３、４４が導出されるようにして、ランプホルダ４２ａ、４２ｂが装着される。第１、第２のリード線４３、４４は、何れも断面がほぼ円形状、楕円形状のものが使用され、その直径は、ほぼ１．０〜１．２ｍｍ程度である。なお、リード線は、これらに限定されることなく、平型のものも使用可能である。
【００２３】
上記第１、第２リード線４３、４４は、ハウジングに収納される際に所定の形状に屈曲される。すなわち、第１のリード線４３は、ランプホルダ４２ａから導出され導光板５の短辺に沿う短辺部分４３ａと、導光板５の長辺に沿う長辺部分４３ｂと、長辺部分の途中から裏面側へ屈曲した屈曲部４３ｃとからなる。また、第２のリード線４４は、第１のリード線４３に比べて比較的長く、ランプホルダ４２から導出され導光板５の短辺に沿う短辺部分４４ａと、長辺に沿う長辺部分４４ｂと、長辺部分の途中から裏面側へ屈曲した屈曲部４４ｃとからなる。第１、第２のリード線４３、４４の先端には、電気コネクタ４５が接続される。リード線４３、４４は屈曲部４３ｃ、４４ｃでハウジングの裏面側に屈曲されることにより外部に導き出されることになる。
【００２４】
ハウジング７は、上面が開口し底浅の箱型をなし、底壁７０と、この底壁７０の外周囲から立設された所定高さの外周壁７１とを有し、合成樹脂材で形成される。外周壁７１は、長辺の側壁７１ａ、７１ｂと短辺の側壁７１ｃ、７１ｄとからなり、各側壁は隅部で一体結合されている。また、対向する側壁７１ｃ、７１ｄに開口７３ａ、７３ｂが形成され、これらの開口にはアース１３ａ、１３ｂ及びアース端子６３ａ、６３ｂ（図３参照、この図ではアース端子６３ｂが省略されている）が挿入される。また、側壁７１ｂには開口７３ｄが形成され、この開口７３ｄから第１、第２のリード線４３、４４をハウジング７内に取り付け、ハウジング７の裏面側から外へ導出される。
【００２５】
底壁７０は、導光板５の裏面５２の形状に合わせた傾斜面が形成される。この傾斜面を設けることにより、この傾斜面に導光板５を載置したとき、導光板５の裏面５２が当接するので導光板５の固定が安定する。
【００２６】
また、底壁７０には、各長辺側壁７１ａ、７１ｂの内周壁面に近接して凹状溝７２ａ、７２ｂが形成される。これらの凹状溝のうち、一方の凹状溝７１ａは、反射板６のコ字状部６２が収納される幅長に、また、他の凹状溝７２ｂの溝幅は、第１、第２リード線４３、４４が収納される幅長に形成される。なお、この凹状溝に代えて、底壁から突起した突片（図示省略）を設け、この突片と内周壁面で所定幅のスペースを形成してもよい。短辺の内壁面から所定距離離して薄板状の突起片７２ｃ’、７２ｄ’が立設され、第１、第２のリード線４４、４３が収納されるスペース７２ｃ、７２ｄが形成される。更に、底壁７０には、その内周端付近を除いた部分に、所定大きさの開口が複数個７０ａ〜７０ｄが形成される。
【００２７】
これらの部品は、以下の手順で組立てられる。先ず、ランプセット４をセットする。そのセットは、蛍光ランプ４１の両端に、第１、第２のリード線４３、４４が導出されるようにしてランプホルダ４２ａ、４２ｂを装着する。次いで、第１のリード線４３は、ランプホルダ４２ａの一端から導光板５の短辺に沿う短辺部分４３ａと、長辺に沿う長辺部分４３ｂと、この長辺部分の途中４３ｃから外部へ導出するように屈曲する。また、第２のリード線４４も、ランプホルダ４２ｂから導光板５の短辺に沿う短辺部分４４ａと、長辺に沿う長辺部分４４ｂと、この長辺部分の途中４４ｃから外部へ導出するように屈曲する。第１、第２のリード線４３、４４の先端には、電気コネクタ４５を接続する。なお、この第１、第２のリード線４３、４４の屈曲は、ハウジング７への装着時に行ってもよい。
【００２８】
ランプセット４を上記のようにセットし、そのユニットの蛍光ランプ４１を反射板６のコ字状の屈曲部６２に挿入する。続いて、この屈曲部６２に導光板５をその一端５３（板厚側）から挿入し、他端５４（薄厚側）を反射板６の係止片６５に係止する。
【００２９】
次いで、導光板５を取付けた反射板６をハウジング７に装着する。その装着は、先ず、反射板６を斜めに傾斜させて屈曲部６２を凹状溝７２ａに嵌め込むと共に、この溝７２ａに蛍光ランプ４１のランプホルダ４２ａ、４２ｂも嵌め込み固定する。次いで、第１のリード線４３の屈曲部分４３ａ、４３ｂをスペース７２ｄ及び凹状溝７２ｂに詰め込む。開口７３ｄ付近では、凹状溝の底面にも開口が形成されているので、開口７３ｄを介してリード線４３を凹状溝７２ｂの開口に配置し、ハウジング７の裏面側から外へ導出する。第２のリード線４４の屈曲部分４４ａ、４４ｂも、スペース７２ｃ及び凹状溝７２ｂに詰め込み、開口７３ｃを介して凹状溝７２ｂの底面の開口に配置し、ハウジング７の裏面側から外へ導出する。その後、反射板６を斜め状態から倒し、反射板の係止片６５を長辺側壁７１ｂの内壁面に押し当て、反射板６をハウジング７内に収納する。その際に、反射板６の端子６３ａ、６３ｂは、ハウジング７の開口７３ａ、７３ｂに挿入する。
【００３０】
すると、反射板６の裏面５２とハウジング７の底面との間には、隙間Ｌ２が形成され、第１、第２のリード線４３、４４は、この隙間の最も開いた部分に配設されることになる。しかも、反射板６の他端部６５の内側下面で凹状溝７２ｂが覆われるので、各リード線４３、４４は、反射板６のこの下面部で押さえられ、この凹状溝７２ｂから飛び出ることはない。更に、第１、第２のリード線４３、４４は、導光板５の他端５４のほぼ真下に位置し、ハウジング７の横幅Ｌ１内に収まり、この横幅を狭くできる。また、リード線は、隙間の最大幅のところに配設されるので、リード線の太さをこの最大幅に合わせて選択できる。
【００３１】
その後、導光板５の表面５１に光学部材３及び液晶表示パネル２を載置し、液晶表示パネル２に接続された回路基板をハウジング７の裏面に配置して、これらの組立体の周囲を枠体９で囲み固定するともに、底面に裏面カバーを装着して、液晶表示装置を完成する。
【００３２】
【発明の効果】
この液晶表示装置によれば、導光板の裏面とハウジング底壁間の形成される隙間を有効利用することができると共に、前記リード線が導光板の一側縁の下方に配設され、導光板等の外周へ飛び出ていないので、ハウジングを小型にできる。特にリード線をハウジングの裏面側に導出するので、ハウジングの側面部分の形状が簡単になり、よりハウジングを小型化できる。
【００３３】
また、リード線をハウジングの底壁に形成された溝内に収納することにより、リード線の移動を防止できる。更に、反射板の一端をほぼコ字状に屈曲し、このコ字状の開口部に線状光源及び導光板の板厚端縁を挿入することにより、組立てが容易になる。
【図面の簡単な説明】
【図１】本発明の一実施形態を示す液晶表示装置の正面図である。
【図２】図１のＡ−Ａ断面図である。
【図３】図１の分解斜視図である。
【図４】図３の一部の部品を抽出し拡大した拡大斜視図である。
【図５】従来の照明ユニットを示し、同図（Ａ）は断面図、（Ｂ）は平面図である。
【図６】従来のバックライト装置を示し、同図（Ａ）は側面図、（Ｂ）は平面図である。
【符号の説明】
１  液晶表示装置
２  液晶表示パネル
３  光学部材
４  ランプセット
４１  線状光源
４３、４４  リード線
５  導光板
６  反射板
７  ハウジング
７２ａ、７２ｂ    溝
【図１】
2004302048.tif 000003
【図２】
2004302048.tif 000004
【図３】
2004302048.tif 000005
【図４】
2004302048.tif 000006
【図５】
2004302048.tif 000007
【図６】
2004302048.tif 000008